(57)【特許請求の範囲】
【請求項１】
式：
【化１】
0005777802.tif 000079
［式中、
Ｒ1およびＲ2は、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、１〜６つの置換基Ｒdで置換されていてもよいＣ5〜10−シクロアルケニル、１〜６つの置換基Ｒdで置換されていてもよい一価の３〜１４員の脂肪族複素環式残基、１〜６つの置換基Ｒeで置換されていてもよいＣ6〜14−アリール、または１〜６つの置換基Ｒeで置換されていてもよい一価の５〜１４員の芳香族複素環式残基であり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3，Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよいＣ6〜14−アリーレンまたは１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され；
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化２】
0005777802.tif 000080
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレンまたは１〜６つの置換基Ｒbで置換されていてもよい二価の５〜２４員の芳香族複素環式残基であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化３】
0005777802.tif 000081
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である］の構成単位を含むポリマー。
【請求項２】
Ｒ1およびＲ2が、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、Ｃ5〜10−シクロアルケニル、または１〜６つの置換基Ｒeで置換されていてもよいＣ6〜14−アリールであり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択される、
請求項１に記載のポリマー。
【請求項３】
Ｒ1およびＲ2が、互いに独立して、１〜６つの置換基Ｒcで置換されていてもよいＣ1〜30−アルキルであり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され；
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択される、
請求項１に記載のポリマー。
【請求項４】
Ｒ1およびＲ2が、互いに独立して、Ｃ1〜16−アルキル、より好ましくはＣ1〜12−アルキルである、請求項１に記載のポリマー。
【請求項５】
Ｇ1およびＧ2が、互いに独立して、１〜６つの置換基Ｒaで置換されていてもよい二価の５〜１４員の芳香族複素環式残基であり、
この場合、Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2が、互いに独立して、
【化４】
0005777802.tif 000082
であり、
この場合、
Ｒ5およびＲ6は、互いに独立して、ＨまたはＣ1〜30−アルキルである、
請求項１から４までのいずれか１項に記載のポリマー。
【請求項６】
Ｇ1およびＧ2が、互いに独立して、１〜４つの置換基Ｒaで置換されていてもよい単環式二価の５〜８員の芳香族複素環式残基であり、
この場合、
Ｒaは各場合において、互いに独立して、１〜４つの置換基Ｒfで置換されていてもよいＣ1〜30−アルキルであり、
この場合、Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択される、
請求項１から４までのいずれか１項に記載のポリマー。
【請求項７】
Ｇ1およびＧ2が、互いに独立して、単環式の二価の５〜８員の芳香族複素環式残基であり、この場合、Ｇ1およびＧ2は、１〜２つの置換基Ｒaで置換されており、
この場合、
Ｒaは各場合において、互いに独立して、Ｃ6〜20−アルキルである、
請求項１から４までのいずれか１項に記載のポリマー。
【請求項８】
Ｌが、１〜６つの置換基Ｒbで置換されていてもよい二価の５〜２４員の芳香族複素環式残基であり、
この場合、Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌが、
【化５】
0005777802.tif 000083
であり、
この場合、Ｒ16およびＲ17は、互いに独立して、Ｈ、Ｃ1〜30−アルキル、−ＣＮ、またはハロゲンである、
請求項１から７までのいずれか１項に記載のポリマー。
【請求項９】
Ｌが、１〜４つの置換基Ｒbで置換されていてもよい二価の５〜１４員の芳香族複素環式残基であり、
この場合、Ｒbは各場合において、互いに独立して、１〜４つの置換基Ｒhで置換されていてもよいＣ1〜30−アルキルであり、
この場合、Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択される、
請求項１から７までのいずれか１項に記載のポリマー。
【請求項１０】
Ｌが、二価の５〜１４員の芳香族複素環式残基であり、この場合、Ｌは、１〜２つの置換基Ｒbで置換されており、
この場合、
Ｒbは各場合において、互いに独立して、Ｃ6〜20−アルキルである、
請求項１から７までのいずれか１項に記載のポリマー。
【請求項１１】
ｑおよびｓが、互いに独立して、１、２、または３であり、
ｒが、１または２であり、
ならびに、
ｎが、５〜１０，０００の整数である、
請求項１から１０までのいずれか１項に記載のポリマー。
【請求項１２】
ｑおよびｓが両方とも１であり、
ｒは１であり、
ならびに
ｎは、５〜１０，０００の整数である、
請求項１１に記載のポリマー。
【請求項１３】
式（１）の構成単位が、式：
【化６】
0005777802.tif 000084
［式中、Ｒ1、Ｒ2、Ｒa、Ｌ、およびｎは、請求項１において定義される通りである］の構成単位である、請求項１に記載のポリマー。
【請求項１４】
Ｌが、
【化７】
0005777802.tif 000085
［式中、Ｒbは、請求項１において定義される通りである］である、請求項１３に記載のポリマー。
【請求項１５】
ｎが、５〜５，０００の整数である、請求項１から１４までのいずれか１項に記載のポリマー。
【請求項１６】
請求項１から１５までのいずれか１項に記載のポリマーを含む電子デバイス。
【請求項１７】
前記電子デバイスが有機電界効果トランジスタ（ＯＦＥＴ）である、請求項１６に記載の電子デバイス。
【請求項１８】
前記電子デバイスが有機光起電装置（ＯＰＶ）である、請求項１６に記載の電子デバイス。
【請求項１９】
半導電性材料としての、請求項１から１５までのいずれか１項に記載のポリマーの使用。
【発明の詳細な説明】
【技術分野】
【０００１】
有機半導電性材料は、有機光起電装置（ＯＰＶ）、有機電界効果トランジスタ（ＯＦＥＴ）、有機発光ダイオード（ＯＬＥＤ）、および有機エレクトロクロミックデバイス（ＥＣＤ）などの電子デバイスにおいて使用することができる。
【０００２】
効率的かつ長期持続的な性能のために、有機半導性材料ベースのデバイスは、高い電荷キャリア移動度、ならびに周囲環境条件下での、特に空気による酸化に対する、高い安定性を示すことが望ましい。
【０００３】
さらに、液体加工技術は、加工性の点から便利であり、したがって低コストの有機半導電性材料ベースの電子デバイスの製造が可能となるため、有機半導性材料は、スピンコーティングなどの液体加工技術に適合可能であることが望ましい。加えて、液体加工技術は、プラスチック基材に対しても適合可能なので、結果として、軽量で機械的に柔軟な、有機半導電性材料ベースの電子デバイスの製造が可能となる。
【０００４】
半導電性材料の使用は、当該技術分野において公知である。
【０００５】
Ｂａｏ，Ｚ．；Ｄｏｂａｄａｌａｐｕｒ，Ａ．；Ｌｏｖｉｎｇｅｒ，Ａ．Ｊ．Ａｐｐｌ．Ｐｈｙｓ．Ｌｅｔｔ．１９９６，６９，４１０８−４１１０には、電界効果トランジスタでの、位置規則性ポリ（３−ヘキシルチオフェン）の使用について記載されている。
【０００６】
Ｏｎｇ，Ｂ．Ｓ．；Ｗｕ，Ｙ．；Ｌｉｕ，Ｐ．；Ｇａｒｄｎｅｒ，Ｓ．Ｊ．Ａｍ．Ｃｈｅｍ．Ｓｏｃ．２００４，１２６，３３７８−３３７９には、有機電界効果トランジスタ（ＯＦＥＴ）での使用のための、式：
【化１】
0005777802.tif 000002
のポリマーについて記載されている。
【０００７】
Ｚｈａｎｇ，Ｍ．；Ｔｓａｏ，Ｈ．Ｎ．；Ｐｉｓｕｌａ，Ｗ．；Ｙａｎｇ，Ｃ；Ｍｉｓｈｒａ，Ａ．Ｋ．；Ｍｕｌｌｅｎ，Ｋ．Ｊ．Ａｍ．Ｃｈｅｍ．Ｓｏｃ．２００７，１２９，３４７２−３４７３には、有機電界効果トランジスタ（ＯＦＥＴ）での使用のための、式：
【化２】
0005777802.tif 000003
のポリマーについて記載されている。
【０００８】
Ｚｏｕ，Ｙ．；Ｎａｊａｒｉ，Ａ．；Ｂｅｒｒｏｕａｒｄ，Ｐ．；Ｂｅａｕｐｒｅ，Ｓ．；Ｂａｄｒｏｕ，Ｒ．Ａ．；Ｔａｏ，Ｙ．；Ｌｅｃｌｅｒｃ，Ｍ．Ｊ．  Ａｍ．Ｃｈｅｍ．Ｓｏｃ．２０１０，１３２，５３３０−５３３１には、光起電装置での使用のためのドナー物質としての、式：
【化３】
0005777802.tif 000004
のポリマーについて記載されている。
【０００９】
Ｌ．Ｂｕｒｇｉ，Ｍ．Ｔｕｒｂｉｅｚ，Ｒ．Ｐｆｅｉｆｆｅｒ，Ｆ．Ｂｉｅｎｅｗａｌｄ，Ｈ．−Ｊ．Ｋｉｒｎｅｒ，Ｃ．Ｗｉｎｎｅｗｉｓｓｅｒ，Ａｄｖ．Ｍａｔｅｒ．２００８，２０，２２１７−２２２４には、有機電界効果トランジスタ（ＯＦＥＴ）での使用のための、式：
【化４】
0005777802.tif 000005
のポリマーについて記載されている。
【００１０】
Ｊ．Ｃ．Ｂｉｊｌｅｖｅｌｄ，Ａ．Ｐ．Ｚｏｏｍｂｅｌｔ，Ｓ．Ｇ．Ｊ．Ｍａｔｈｉｊｓｓｅｎ，Ｍ．Ｍ．Ｗｉｅｎｋ，Ｍ．Ｔｕｒｂｉｅｚ，Ｄ．Ｍ．ｄｅ  Ｌｅｅｕｗ，Ｒ．Ａ．Ｊ．Ｊａｎｓｓｅｎ，Ｊ．Ａｍ．Ｃｈｅｍ．Ｓｏｃ．２００９，１３１，１６６１６−１６６１７には、有機電界効果トランジスタ（ＯＦＥＴ）および有機光起電装置（ＯＰＶ）での使用のための、式：
【化５】
0005777802.tif 000006
のポリマーについて記載されている。
【００１１】
Ｎ．Ｓａｉｔｏ，Ｔ．Ｙａｍａｍｏｔｏ  Ｍａｃｒｏｍｏｌｅｃｕｌｅｓ  １９９５，２８，４２６０−４２６７には、電気伝導体としての、式：
【化６】
0005777802.tif 000007
のポリマーについて記載されている。
【００１２】
ジケトピペリジノピペリジン誘導体も、当該技術分野において公知である。
【００１３】
Ｅ．Ｂｉｓａｇｎｉ，Ｃ．Ｌａｎｄｒａｓ，Ｓ．Ｔｈｉｒｏｔ，Ｃ．Ｈｕｅｌ．Ｔｅｔｒａｈｅｄｒｏｎ，１９９６，５２（３１），１０４２７−１０４４０には、式：
【化７】
0005777802.tif 000008
の化合物の合成について記載されている。
【００１４】
Ｈ．Ｉｒｉｋａｗａ，Ｎ．Ａｄａｃｈｉ  Ｈｅｔｅｒｏｃｙｃｌｅｓ  ２０００，５３（１），１３５−１４２には、式：
【化８】
0005777802.tif 000009
Ｘ＝ＮＭｅ、Ｏ
Ａｒ＝Ｃ6Ｈ5、２−ＭｅＣ6Ｈ4、２，４，６−Ｍｅ3Ｃ6Ｈ2
の化合物の合成について記載されている。
【００１５】
本発明の目的は、新規の有機半導電性材料を提供することであった。
【００１６】
この目的は、請求項１のポリマーおよび請求項１７の電子デバイスによって解決される。
【００１７】
本発明の半導電性材料は、式：
【化９】
0005777802.tif 000010
［式中
Ｒ1およびＲ2は、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、１〜６つの置換基Ｒdで置換されていてもよいＣ5〜10−シクロアルケニル、１〜６つの置換基Ｒdで置換されていてもよい一価の３〜１４員の脂肪族複素環式残基、１〜６つの置換基Ｒeで置換されていてもよいＣ6〜14−アリール、または１〜６つの置換基Ｒeで置換されていてもよい一価の５〜１４員の芳香族複素環式残基であり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され；
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され；
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され；
この場合、
Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され；
Ｇ1およびＧ2は、互いに独立して、１〜６つの置換基Ｒaで置換されていてもよいＣ6〜14−アリーレン、または１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化１０】
0005777802.tif 000011
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレンまたは１〜６つの置換基Ｒbで置換されていてもよい二価の５〜２４員の芳香族複素環式残基であり、
この場合
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化１１】
0005777802.tif 000012
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに
ｎは、２〜１０，０００の整数である］の構成単位を含むポリマーである。
【００１８】
好ましくは、本発明の半導電性材料は、式：
【化１２】
0005777802.tif 000013
［式中、
Ｒ1およびＲ2は、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、１〜６つの置換基Ｒdで置換されていてもよいＣ5〜10−シクロアルケニル、１〜６つの置換基Ｒdで置換されていてもよい一価の３〜１４員の脂肪族複素環式残基、１〜６つの置換基Ｒeで置換されていてもよいＣ6〜14−アリール、または１〜６つの置換基Ｒeで置換されていてもよい一価の５〜１４員の芳香族複素環式残基であり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよいＣ6〜14−アリーレン、または１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化１３】
0005777802.tif 000014
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレンまたは１〜６つの置換基Ｒbで置換されていてもよい二価の５〜２４員の芳香族複素環式残基であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化１４】
0005777802.tif 000015
であり、
この場合
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である］の構成単位から実質的になるポリマーである。
【００１９】
「から実質的になる」なる用語は、少なくとも８０質量％を意味する。好ましくは、ポリマーの質量に対して、ポリマーの少なくとも９０質量％が式（１）の構成単位からなる。
【００２０】
より好ましくは、本発明の半導電性材料は、式：
【化１５】
0005777802.tif 000016
［式中、
Ｒ1およびＲ2は、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、１〜６つの置換基Ｒdで置換されていてもよいＣ5〜10−シクロアルケニル、１〜６つの置換基Ｒdで置換されていてもよい一価の３〜１４員の脂肪族複素環式残基、１〜６つの置換基Ｒeで置換されていてもよいＣ6〜14−アリール、または１〜６つの置換基Ｒeで置換されていてもよい一価の５〜１４員の芳香族複素環式残基であり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよいＣ6〜14−アリーレン、または１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化１６】
0005777802.tif 000017
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレンまたは１〜６つの置換基Ｒbで置換されていてもよい二価の５〜２４員の芳香族複素環式残基、であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化１７】
0005777802.tif 000018
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である］のポリマーである。
【００２１】
Ｃ1〜12−アルキル、Ｃ1〜16−アルキル、Ｃ6〜20−アルキル、およびＣ1〜30−アルキルは、分岐していてもまたは分岐していなくてもよい。Ｃ1〜12−アルキルの例は、Ｃ1〜10−アルキル、ならびにｎ−ウンデシルおよびｎ−ドデシルである。Ｃ1〜16−アルキルの例は、Ｃ1〜12−アルキル、ならびにｎ−トリデシル、ｎ−テトラデシル、ｎ−ペンタデシル、およびｎ−ヘキサデシルである。Ｃ1〜30−アルキルの例は、Ｃ1〜10−アルキル、ならびにｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、ｎ−ドコシル（Ｃ22）、ｎ−テトラコシル（Ｃ24）、ｎ−ヘキサコシル（Ｃ26）、ｎ−オクタコシル（Ｃ28）、およびｎ−トリアコンチル（Ｃ30）である。Ｃ6〜20−アルキルの例は、ｎ−ヘキシル、ｎ−ヘプチル、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、およびｎ−イコシル（Ｃ20）である
Ｃ2〜10−アルケニルおよびＣ2〜30−アルケニルは、分岐していてもまたは分岐していなくてもよい。Ｃ2〜10−アルケニルの例は、ビニル、プロペニル、ｃｉｓ−２−ブテニル、ｔｒａｎｓ−２−ブテニル、３−ブテニル、ｃｉｓ−２−ペンテニル、ｔｒａｎｓ−２−ペンテニル、ｃｉｓ−３−ペンテニル、ｔｒａｎｓ−３−ペンテニル、４−ペンテニル、２−メチル−３−ブテニル、ヘキセニル、ヘプテニル、オクテニル、ノネニル、およびデセニルである。Ｃ2〜30−アルケニルの例は、Ｃ2〜10−アルケニル、ならびにリノレイル（Ｃ18）、リノレニル（Ｃ18）、オレイル（Ｃ18）、アラキドニル（Ｃ20）、およびエルシル（Ｃ22）である。
【００２２】
Ｃ2〜10−アルキニルおよびＣ2〜30−アルキニルは、分岐していてもまたは分岐していなくてもよい。Ｃ2〜10−アルキニルの例は、エチニル、２−プロピニル、２−ブチニル、３−ブチニル、ペンチニル、ヘキシニル、ヘプチニル、オクチニル、ノニニル、およびデシニルである。Ｃ2〜30−アルキニルの例は、Ｃ2〜10−アルキニル、ならびにウンデシニル、ドデシニル、ウンデシニル、ドデシニル、トリデシニル、テトラデシニル、ペンタデシニル、ヘキサデシニル、ヘプタデシニル、オクタデシニル、ノナデシニル、およびイコシニル（Ｃ20）である。
【００２３】
Ｃ3〜10−シクロアルキルの例は、好ましくは、単環式のＣ3〜10−シクロアルキル、例えば、シクロプロピル、シクロブチル、シクロペンチル、シクロヘキシル、シクロヘプチル、およびシクロオクチル、であるが、多環式のＣ3〜10−シクロアルキル、例えば、デカリニル、ノルボルニル、およびアダマンチル、も含む。
【００２４】
Ｃ5〜10−シクロアルケニルの例は、好ましくは、単環式のＣ5〜10−シクロアルケニル、例えば、シクロペンテニル、シクロヘキセニル、シクロヘキサジエニル、およびシクロヘプタトリエニル、であるが、多環式のＣ5〜10−シクロアルケニルも含む。
【００２５】
一価の３〜１４員の脂肪族複素環式残基の例は、単環式の一価の３〜８員の環脂肪族環状残基および多環式の、例えば二環式の一価の７〜１２員の脂肪族複素環式残基である。
【００２６】
単環式の一価の３〜８員の脂肪族複素環式残基の例は、１つのヘテロ原子を含有する単環式の一価の５員の脂肪族複素環式残基、例えば、ピロリジニル、１−ピロリニル、２−ピロリニル、３−ピロリニル、テトラヒドロフリル、２，３−ジヒドロフリル、テトラヒドロチオフェニル、および２，３−ジヒドロチオフェニル、２つのヘテロ原子を含有する単環式の一価の５員の脂肪族複素環式残基、例えば、イミダゾリジニル、イミダゾリニル、ピラゾリジニル、ピラゾリニル、オキサゾリジニル、オキサゾリニル、イソキサゾリジニル、イソキサゾリニル、チアゾリジニル、チアゾリニル、イソチアゾリジニル、およびイソチアゾリニル、３つのヘテロ原子を含有する単環式の一価の５員の脂肪族複素環式残基、例えば、１，２，３−トリアゾリル、１，２，４−トリアゾリル、および１，４，２−ジチアゾリル、１つのヘテロ原子を含有する単環式の一価の６員の脂肪族複素環式残基、例えば、ピペリジル、ピペリジノ、テトラヒドロピラニル、ピラニル、チアニル、およびチオピラニル、２つのヘテロ原子を含有する単環式の一価の６員の脂肪族複素環式残基、例えば、ピペラジニル、モルホリニルおよびモルホリノ、ならびにチアジニル、１つのヘテロ原子を含有する単環式の一価の７員の脂肪族複素環式残基、例えば、アゼパニル、アゼピニル、オキセパニル、チエパニル、チアパニル、チエピニル、ならびに、２つのヘテロ原子を含有する単環式の一価の７員の脂肪族複素環式残基、例えば、１，２−ジアゼピニル、および１，３−チアゼピニルである。
【００２７】
二環式の一価の７〜１２員の脂肪族複素環式残基の例は、デカヒドロナフチルである。
【００２８】
Ｃ6〜14−アリールは、単環式であってもまたは多環式であってもよい。Ｃ6〜14−アリールの例は、単環式のＣ6−アリール、例えば、フェニル、二環式のＣ9〜10−アリール、例えば、１−ナフチル、２−ナフチル、インデニル、インダニル、およびテトラヒドロナフチル、ならびに三環式のＣ12〜14−アリール、例えば、アントリル、フェナントリル、フルオレニル、およびｓ−インダセニル、である。
【００２９】
一価の５〜１４員の芳香族複素環式残基は、単環式の一価の５〜８員の芳香族複素環式残基であっても、あるいは多環式の、例えば二環式の一価の７〜１２員の芳香族複素環式残基、三環式の一価の９〜１４員の芳香族複素環式残基、または四環式の一価の９〜１４員の芳香族複素環式残基であってもよい。
【００３０】
単環式の一価の５〜８員の芳香族複素環式残基の例は、１つのヘテロ原子を含有する単環式の一価の５員の芳香族複素環式残基、例えば、ピロリル、フリル、およびチオフェニル、２つのヘテロ原子を含有する単環式の一価の５員の芳香族複素環式残基、例えば、イミダゾリル、ピラゾリル、オキサゾリル、イソオキサゾリル、チアゾリル、イソチアゾリル、３つのヘテロ原子を含有する単環式の一価の５員の芳香族複素環式残基、例えば、１，２，３−トリアゾリル、１，２，４−トリアゾリル、およびオキサジアゾリル、４つのヘテロ原子を含有する単環式の一価の５員の芳香族複素環式残基、例えば、テトラゾリル、１つのヘテロ原子を含有する単環式の一価の６員の芳香族複素環式残基、例えば、ピリジル、２つのヘテロ原子を含有する単環式の一価の６員の芳香族複素環式残基、例えば、ピラジニル、ピリミジニル、およびピリダジニル、３つのヘテロ原子を含有する単環式の一価の６員の芳香族複素環式残基、例えば、１，２，３−トリアジニル、１，２，４−トリアジニル、および１，３，５−トリアジニル、１つのヘテロ原子を含有する単環式の一価の７員の芳香族複素環式残基、例えば、アゼピニル、ならびに２つのヘテロ原子を含有する単環式の一価の７員の芳香族複素環式残基、例えば、１，２−ジアゼピニル、である。
【００３１】
二環式の一価の７〜１２員の芳香族複素環式残基の例は、２つのヘテロ原子を含有する二環式の一価の８員の芳香族複素環式残基、例えば、チエノ［３，２−ｂ］チオフェニル、１つのヘテロ原子を含有する二環式の９員の芳香族複素環式残基、例えば、インドリル、イソインドリル、インドリジニル、インドリニル、ベンゾフリル、イソベンゾフリル、ベンゾチオフェニル、およびイソベンゾチオフェニル、２つのヘテロ原子を含有する二環式の一価の９員の芳香族複素環式残基、例えば、インダゾリル、ベンズイミダゾリル、ベンズイミダゾリニル、ベンゾオキサゾリル、ベンズイソオキサゾリル、ベンズチアゾリル、ベンズイソチアゾリル、フロピリジル、およびチエノピリジル、３つのヘテロ原子を含有する二環式の一価の９員の芳香族複素環式残基、例えば、ベンゾトリアゾリル、ベンズオキサジアゾリル、オキサゾロピリジル、イソオキサゾロピリジル、チアゾロピリジル、イソチアゾロピリジル、およびイミダゾピリジル、４つのヘテロ原子を含有する二環式の一価の９員の芳香族複素環式残基、例えば、プリニル、１つのヘテロ原子を含有する二環式の一価の１０員の芳香族複素環式残基、例えば、キノリル、イソキノリル、クロメニル、およびクロマニル、２つのヘテロ原子を含有する二環式の一価の１０員の芳香族複素環式残基、例えば、キノキサリニル、キナゾリニル、シンノリニル、フタラジニル、１，５−ナフチリジニル、および１，８−ナフチリジニル、３つのヘテロ原子を含有する二環式の一価の１０員の芳香族複素環式残基、例えば、ピリドピラジニル、ピリドピリミジニル、およびピリドピリダジニル、ならびに４つのヘテロ原子を含有する二環式の一価の１０員の芳香族複素環式残基、例えば、プテリジニルである。
【００３２】
三環式の一価の９〜１４員の芳香族複素環式残基の例は、ジベンゾフリル、アクリジニル、フェノキサジニル、７Ｈ−シクロペンタ［１，２−ｂ：３，４−ｂ’］ジチオフェニル、および４Ｈ−シクロペンタ［２，１−ｂ：３，４−ｂ’］ジチオフェニルである。３つのヘテロ原子を含有する三環式の一価の９〜１４員の芳香族複素環式残基の例は、式：
【化１８】
0005777802.tif 000019
のジチエノチオフェニルである。
【００３３】
４つのヘテロ原子を含有する四環式の一価の９〜１４員の芳香族複素環式残基の例は、式：
【化１９】
0005777802.tif 000020
のトリチエノチオフェニルである。
【００３４】
ハロゲンの例は、−Ｆ、−Ｃｌ、−Ｂｒ、および−Ｉである。
【００３５】
Ｃ1〜10−アルコキシの例は、メトキシ、エトキシ、ｎ−プロポキシ、イソプロポキシ、ｎ−ブトキシ、ｓｅｃ−ブトキシ、イソブトキシ、ｔｅｒｔ−ブトキシ、ｎ−ペントキシ、ネオペントキシ、イソペントキシ、ヘキソキシ、ｎ−ヘプトキシ、ｎ−オクトキシ、ｎ−ノノキシ、およびｎ−デコキシである。Ｃ1〜30−アルコキシの例は、Ｃ1〜10−アルコキシ、およびｎ−ウンデコキシ、ｎ−ドデコキシ、ｎ−ウンデコキシ、ｎ−ドデコキシ、ｎ−トリデコキシ、ｎ−テトラデコキシ、ｎ−ペンタデコキシ、ｎ−ヘキサデコキシ、ｎ−ヘプタデコキシ、ｎ−オクタデコキシ、ｎ−ノナデコキシ、およびｎ−イコソキシ（Ｃ20）、ｎ−ドコソキシ（Ｃ22）、ｎ−テトラコソキシ（Ｃ24）、ｎ−ヘキサコソキシ（Ｃ26）、ｎ−オクタコソキシ（Ｃ28）、およびｎ−トリアコントキシ（Ｃ30）である。
【００３６】
Ｃ2〜6−アルキレンの例は、エチレン、ブチレン、ペンチレン、ヘキシレン、および２−メチルペンチレンである。
【００３７】
Ｃ6〜14−アリーレンの例は、単環式のＣ6−アリーレン、例えばフェニレン、二環式のＣ9〜10−アリーレン、例えば、ナフチレン、例えば、
【化２０】
0005777802.tif 000021
インデニレン、例えば、
【化２１】
0005777802.tif 000022
インダニレン、例えば、
【化２２】
0005777802.tif 000023
およびテトラヒドロナフチレン、例えば、
【化２３】
0005777802.tif 000024
ならびに三環式のＣ12〜14−アリーレン、例えば、アントリレン、例えば、
【化２４】
0005777802.tif 000025
フェナントリレン、例えば、
【化２５】
0005777802.tif 000026
フルオレニレン、例えば、
【化２６】
0005777802.tif 000027
ならびに
ｓ−インダセニレン、例えば、
【化２７】
0005777802.tif 000028
である。
【００３８】
Ｃ6〜24−アリーレンの例は、Ｃ6〜14−アリーレン、ならびに
【化２８】
0005777802.tif 000029
ピレニレン、例えば、
【化２９】
0005777802.tif 000030
テトラセニレン、例えば、
【化３０】
0005777802.tif 000031
ペリレニレン、例えば、
【化３１】
0005777802.tif 000032
インデノフルオレニレン、例えば、
【化３２】
0005777802.tif 000033
ペンタセニレン、例えば、
【化３３】
0005777802.tif 000034
コロネニレン、例えば、
【化３４】
0005777802.tif 000035
ならびにテトラフェニレニレン、例えば、
【化３５】
0005777802.tif 000036
である。
【００３９】
二価の５〜１４員の芳香族複素環式残基は、単環式の二価の５〜８員の芳香族複素環式残基、または多環式、例えば、二環式の二価の７〜１４員の芳香族複素環式残基、三環式の二価の９〜１４員の芳香族複素環式残基、または四環式の二価の９〜１４員の芳香族複素環式残基である。
【００４０】
単環式の二価の５〜８員の芳香族複素環式残基の例は、１つのヘテロ原子を含有する単環式の二価の５員の芳香族複素環式残基、例えば、ピロリレン、フリレン、およびチオフェニレン、２つのヘテロ原子を含有する単環式の二価の５員の芳香族複素環式残基、例えば、イミダゾリレン、ピラゾリレン、オキサゾリレン、イソオキサゾリレン、チアゾリレン、イソチアゾリレン、３つのヘテロ原子を含有する単環式の二価の５員の芳香族複素環式残基、例えば、１，２，３−トリアゾリレン、１，２，４−トリアゾリレン、およびオキサジアゾリレン、４つのヘテロ原子を含有する単環式の二価の５員の芳香族複素環式残基、例えば、テトラゾリレン、１つのヘテロ原子を含有する単環式の二価の６員の芳香族複素環式残基、例えば、ピリジレン、２つのヘテロ原子を含有する単環式の二価の６員の芳香族複素環式残基、例えば、ピラジニレン、ピリミジニレン、およびピリダジニレン、３つのヘテロ原子を含有する単環式の二価の６員の芳香族複素環式残基、例えば、１，２，３−トリアジニレン、１，２，４−トリアジニレン、および１，３，５−トリアジニレン、１つのヘテロ原子を含有する単環式の二価の７員の芳香族複素環式残基例えば、アゼピニレン、ならびに２つのヘテロ原子を含有する単環式の二価の７員の芳香族複素環式残基、例えば、１，２−ジアゼピニレン、である。
【００４１】
二環式の二価の７〜１４員の芳香族複素環式残基の例は、２つのヘテロ原子を含有する二環式の二価の８員の芳香族複素環式残基、例えば、チエノチオフェニレン、例えば、
【化３６】
0005777802.tif 000037
３つのヘテロ原子を含有する二環式の二価の８員の芳香族複素環式残基、例えば、チエノチアゾリレン、例えば、
【化３７】
0005777802.tif 000038
４つのヘテロ原子を含有する二環式の二価の８員の芳香族複素環式残基、例えば、チアゾチアゾリレン、例えば、
【化３８】
0005777802.tif 000039
１つのヘテロ原子を含有する二環式の二価の９員の芳香族複素環式残基、例えば、インドリレン、イソインドリレン、インドリジニレン、インドリニレン、イソインドリニレン、例えば、
【化３９】
0005777802.tif 000040
ベンゾフリレン、イソベンゾフリレン、ベンゾチオフェニレン、およびイソベンゾチオフェニレン、
２つのヘテロ原子を含有する二環式の二価の９員の芳香族複素環式残基、例えば、インダゾリレン、ベンズインダゾリレン、ベンズイミダゾリニレン、ベンゾオキサゾリレン、ベンズイソオキサゾリレン、ベンズチアゾリレン、ベンズイソチアゾリレン、フロピリジレン、およびチエノピリジレン、
３つのヘテロ原子を含有する二環式の二価の９員の芳香族複素環式残基、例えば、ベンゾトリアゾリレン、ベンゾオキサジアゾリレン、オキサゾロピリジレン、イソオキサゾロピリジレン、チアゾロピリジレン、イソチアゾロピリジレン、イミダゾピリジレン、ベンゾチアジアゾリレン、例えば、
【化４０】
0005777802.tif 000041
およびジオキサノチオフェニレン、例えば、
【化４１】
0005777802.tif 000042
４つのヘテロ原子を含有する二環式の二価の９員の芳香族複素環式残基、例えば、プリニレン、
１つのヘテロ原子を含有する二環式の二価の１０員の芳香族複素環式残基、例えば、キノリレン、イソキノリレン、クロメニレン、およびクロマニレン、
２つのヘテロ原子を含有する二環式の二価の１０員の芳香族複素環式残基、例えば、キノキサリニレン、例えば、
【化４２】
0005777802.tif 000043
キナゾリニレン、シンノリニレン、フタラジニレン、１，５−ナフチリジニレン、および１，８−ナフチリジニレン、
３つのヘテロ原子を含有する二環式の二価の１０員の芳香族複素環式残基、例えば、ピリドピラジニレン、ピリドピリミジニレン、およびピリドピリダジニレン、ならびに４つのヘテロ原子を含有する二環式の二価の１０員の芳香族複素環式残基、例えば、プテリジニレン、である。
【００４２】
１つのヘテロ原子を含有する三環式の二価の９〜１４員の芳香族複素環式残基の例は、ジベンゾフリレン、アクリジニレン、ジベンゾシラシクロペンタジエニレン、例えば、
【化４３】
0005777802.tif 000044
およびジベンゾピロリレン、例えば、
【化４４】
0005777802.tif 000045
である。
【００４３】
２つのヘテロ原子を含有する三環式の二価の９〜１４員の芳香族複素環式残基の例は、フェノキサジニレン、ならびに下記の化合物：
【化４５】
0005777802.tif 000046
である。
【００４４】
３つのヘテロ原子を含有する三環式の二価の９〜１４員の芳香族複素環式残基の例は、下記の化合物：
【化４６】
0005777802.tif 000047
である。
【００４５】
４つのヘテロ原子を含有する三環式の二価の９〜１４員の芳香族複素環式残基の例は、下記の化合物：
【化４７】
0005777802.tif 000048
である。
【００４６】
６つのヘテロ原子を含有する三環式の二価の９〜１４員の芳香族複素環式残基の例は、下記の化合物：
【化４８】
0005777802.tif 000049
である。
【００４７】
４つのヘテロ原子を含有する四環式の二価の９〜１４員の芳香族複素環式残基の例は、下記の化合物：
【化４９】
0005777802.tif 000050
である。
【００４８】
二価の５〜２４員の芳香族複素環式残基の例は、二価の５〜１４員の芳香族複素環式残基、ならびに下記の化合物：
【化５０】
0005777802.tif 000051
である。
【００４９】
Ｌの例は、
【化５１】
0005777802.tif 000052
【化５２】
0005777802.tif 000053
である。
【００５０】
式（１）の好ましい構成単位において、
Ｒ1およびＲ2は、互いに独立して、Ｈ、１〜６つの置換基Ｒcで置換されていてもよいＣ1〜30−アルキル、１〜６つの置換基Ｒcで置換されていてもよいＣ2〜30−アルケニル、１〜６つの置換基Ｒcで置換されていてもよいＣ2〜30−アルキニル、１〜６つの置換基Ｒdで置換されていてもよいＣ3〜10−シクロアルキル、Ｃ5〜10−シクロアルケニル、または１〜６つの置換基Ｒeで置換されていてもよいＣ6〜14−アリールであり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒdは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
Ｒeは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ1〜10−アルキル、Ｃ2〜10−アルケニル、Ｃ2〜10−アルキニル、Ｃ3〜10−シクロアルキル、Ｃ5〜10−シクロアルケニル、および一価の３〜１４員の脂肪族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよいＣ6〜14−アリーレン、または１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化５３】
0005777802.tif 000054
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレン、または１〜６つの置換基Ｒbで置換されていてもよい二価の５〜２４員の芳香族複素環式残基であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化５４】
0005777802.tif 000055
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である。
【００５１】
式（１）のより好ましい構成単位において、
Ｒ1およびＲ2は、互いに独立して、１〜６つの置換基Ｒcで置換されていてもよいＣ1〜30−アルキル、好ましくは１〜６つの置換基Ｒcで置換されていてもよいＣ1〜16−アルキル、より好ましくは１〜６つの置換基Ｒcで置換されていてもよいＣ1〜12−アルキルであり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよいＣ6〜14−アリーレン、または１〜６つの置換基Ｒaで置換されていてもよい二価の５〜１４員の芳香族複素環式残基であり、
この場合
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合
Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化５５】
0005777802.tif 000056
であり、
この場合、
Ｒ5およびＲ6は、互いに独立して、ＨまたはＣ1〜30−アルキルであり、
Ｌは、１〜６つの置換基Ｒbで置換されていてもよいＣ6〜24−アリーレン、または１〜６つの置換基Ｒbで置換されていてもよい二価の５〜２４員の芳香族複素環式残基であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化５６】
0005777802.tif 000057
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である。
【００５２】
式（１）のさらにより好ましい構成単位において、
Ｒ1およびＲ2は、互いに独立して、１〜６つの置換基Ｒcで置換されていてもよいＣ1〜30−アルキル、好ましくは１〜６つの置換基Ｒcで置換されていてもよいＣ1〜16−アルキル、より好ましくは１〜６つの置換基Ｒcで置換されていてもよいＣ1〜12−アルキルであり、
この場合、
Ｒcは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ3、−Ｓ−Ｃ1〜10−アルキル、−ＮＨ2、−ＮＨＲ3、−ＮＲ3Ｒ4、−ＮＨ−ＣＯＲ3、−ＣＯＯＨ、−ＣＯＯＲ3、−ＣＯＮＨ2、−ＣＯＮＨＲ3、−ＣＯＮＲ3Ｒ4、−ＣＯ−Ｈ、−ＣＯＲ3、Ｃ3〜10−シクロアルキル、一価の３〜１４員の脂肪族複素環式残基、Ｃ6〜14−アリール、および一価の５〜１４員の芳香族複素環式残基からなる群より選択され、
この場合、Ｒ3およびＲ4は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｇ1およびＧ2は、互いに独立して、１〜６つの置換基Ｒaで置換されていてもよい二価の５〜１４員の芳香族複素環式残基であり、
この場合、
Ｒaは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ8、−Ｓ−Ｃ1〜30−アルキル、−ＮＨ2、−ＮＨＲ8、−ＮＲ8Ｒ9、−ＮＨ−ＣＯＲ8、−ＣＯＯＨ、−ＣＯＯＲ8、−ＣＯＮＨ2、−ＣＯＮＨＲ8、−ＣＯＮＲ8Ｒ9、−ＣＯ−Ｈ、−ＣＯＲ8、１〜６つの置換基Ｒfで置換されていてもよいＣ1〜30−アルキル、１〜６つの置換基Ｒfで置換されていてもよいＣ2〜30−アルケニル、１〜６つの置換基Ｒfで置換されていてもよいＣ2〜30−アルキニル、１〜６つの置換基Ｒgで置換されていてもよいＣ3〜10−シクロアルキル、１〜６つの置換基Ｒgで置換されていてもよいＣ5〜10−シクロアルケニル、および１〜６つの置換基Ｒgで置換されていてもよい一価の３〜１４員の脂肪族複素環式残基からなる群より選択され、
この場合、
Ｒ8およびＲ9は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒgは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ10およびＲ11は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｇ1およびＧ2は、互いに独立して、
【化５７】
0005777802.tif 000058
であり、
この場合、
Ｒ5およびＲ6は、互いに独立して、ＨまたはＣ1〜30−アルキルであり、
Ｌは、１〜６つの置換基Ｒbで置換されていてもよい二価の５〜２４員の芳香族複素環式残基であり、
この場合、
Ｒbは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜30−アルコキシ、−Ｏ−ＣＨ2ＣＨ2Ｏ−Ｃ1〜30−アルキル、−Ｏ−ＣＯＲ12、−Ｓ−Ｃ1〜30−アルキル、−ＮＨ2、−ＮＨＲ12、−ＮＲ12Ｒ13、−ＮＨ−ＣＯＲ12、−ＣＯＯＨ、−ＣＯＯＲ12、−ＣＯＮＨ2、−ＣＯＮＨＲ12、−ＣＯＮＲ12Ｒ13、−ＣＯ−Ｈ、−ＣＯＲ12、１〜６つの置換基Ｒhで置換されていてもよいＣ1〜30−アルキル、１〜６つの置換基Ｒhで置換されていてもよいＣ2〜30−アルケニル、１〜６つの置換基Ｒhで置換されていてもよいＣ2〜30−アルキニル、１〜６つの置換基Ｒiで置換されていてもよいＣ3〜10−シクロアルキル、１〜６つの置換基Ｒiで置換されていてもよいＣ5〜10−シクロアルケニル、および１〜６つの置換基Ｒiで置換されていてもよい一価の３〜１４員の脂肪族複素環式残基からなる群より選択され、
この場合、
Ｒ12およびＲ13は各場合において、互いに独立して、Ｃ1〜30−アルキル、Ｃ2〜30−アルケニル、Ｃ2〜30−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され、
Ｒiは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ1〜10−アルキル、Ｃ2〜10−アルケニル、Ｃ2〜10−アルキニル、Ｃ6〜14−アリール、および一価の５〜１４員の芳香族複素環式残基からなる群より選択され、
この場合、Ｒ14およびＲ15は各場合において、互いに独立して、Ｃ1〜10−アルキル、Ｃ2〜10−アルケニル、Ｃ2〜10−アルキニル、Ｃ3〜10−シクロアルキル、Ｃ5〜10−シクロアルケニル、一価の３〜１４員の脂肪族複素環式残基、Ｃ6〜14−アリール、および一価の５〜１４員の芳香族複素環式残基からなる群より選択され、
あるいは、
Ｌは、
【化５８】
0005777802.tif 000059
であり、
この場合、
Ｒ16およびＲ17は、互いに独立して、Ｈ、Ｃ1〜30−アルキル、−ＣＮ、またはハロゲンであり、
ｑおよびｓは、互いに独立して、０、１、２、３、４、または５であり、
ｒは、０、１、または２であり、
ならびに、
ｎは、２〜１０，０００の整数である。
【００５３】
式（１）の最も好ましい構成単位において、
Ｒ1およびＲ2は、互いに独立して、Ｃ1〜16−アルキル、より好ましくはＣ1〜12−アルキルであり、
Ｇ1およびＧ2は、互いに独立して、１〜４つの置換基Ｒaで置換されていてもよい単環式二価の−５〜８員の芳香族複素環式残基であり、
この場合、
Ｒaは各場合において、互いに独立して、１〜４つの置換基Ｒfで置換されていてもよいＣ1〜30−アルキルであり、
この場合、
Ｒfは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ10、−Ｓ−Ｃ1〜10−アルキル、−ＮＨ2、−ＮＨＲ10、−ＮＲ10Ｒ11、−ＮＨ−ＣＯＲ10、−ＣＯＯＨ、−ＣＯＯＲ10、−ＣＯＮＨ2、−ＣＯＮＨＲ10、−ＣＯＮＲ10Ｒ11、−ＣＯ−Ｈ、−ＣＯＲ10、Ｃ3〜10−シクロアルキル、一価の３〜１４員の脂肪族複素環式残基、Ｃ6〜14−アリール、および一価の５〜１４員の芳香族複素環式残基からなる群より選択され；
Ｌは、１〜４つの置換基Ｒbで置換されていてもよい二価の５〜１４員の芳香族複素環式残基であり、
この場合、
Ｒbは各場合において、互いに独立して、１〜４つの置換基Ｒhで置換されていてもよいＣ1〜30−アルキルであり、
この場合、
Ｒhは各場合において、互いに独立して、＝Ｏ、＝Ｃ（ＣＮ）2、−Ｏ−Ｃ2〜6−アルキレン−Ｏ−、ハロゲン、−ＣＮ、−ＮＯ2、−ＯＨ、Ｃ1〜10−アルコキシ、−Ｏ−ＣＨ2ＣＨ2Ｏ−Ｃ1〜10−アルキル、−Ｏ−ＣＯＲ14、−Ｓ−Ｃ1〜10−アルキル、−ＮＨ2、−ＮＨＲ14、−ＮＲ14Ｒ15、−ＮＨ−ＣＯＲ14、−ＣＯＯＨ、−ＣＯＯＲ14、−ＣＯＮＨ2、−ＣＯＮＨＲ14、−ＣＯＮＲ14Ｒ15、−ＣＯ−Ｈ、−ＣＯＲ14、Ｃ3〜10−シクロアルキル、一価の３〜１４員の脂肪族複素環式残基、Ｃ6〜14−アリール、および一価の５〜１４員の芳香族複素環式残基からなる群より選択され；
ｑおよびｓは、互いに独立して、１、２、または３であり、
ｒは、１または２であり、
ならびに、
ｎは、５〜１０，０００の整数である。
【００５４】
式（１）のさらに最も好ましい構成単位において、
Ｒ1およびＲ2は、互いに独立して、Ｃ1〜16−アルキル、より好ましくはＣ1〜12−アルキルであり、
Ｇ1およびＧ2は、互いに独立して、単環式の二価の５〜８員の芳香族複素環式残基であり、この場合、Ｇ1およびＧ2は、１〜２つの置換基Ｒaで置換されており、
この場合、
Ｒaは各場合において、互いに独立して、Ｃ6〜20−アルキルであり、
Ｌは、二価の５〜１４員の芳香族複素環式残基であり、この場合、Ｌは、１〜２つの置換基Ｒbで置換されており、
この場合、
Ｒbは各場合において、互いに独立して、Ｃ6〜20−アルキルであり、
ｑおよびｓは、両方とも１であり、
ｒは１であり、
ならびに、
ｎは、５〜１０，０００の整数である。
【００５５】
式（１）の特に好ましい構成単位は、式：
【化５９】
0005777802.tif 000060
［式中、Ｒ1、Ｒ2、Ｒa、Ｌ、およびｎは、上記において定義される通りである］の構成単位である。
【００５６】
式（１ａ）の特に好ましい構成単位において、
Ｌは、
【化６０】
0005777802.tif 000061
［式中、Ｒbは、上記において定義された通りである］である。
【００５７】
好ましくは、ｎは、５〜５，０００、より好ましくは５〜１，０００、さらにより好ましくは５〜１００、最も好ましくは１０〜１００の整数である。
【００５８】
式（１）および（１ａ）の構成単位の特に好ましい例は、式：
【化６１】
0005777802.tif 000062
［式中、ｎは、１０〜１０００、好ましくは１０〜１００の整数である］の構成単位である。
【００５９】
本発明の半導電性材料は、ポリマーの質量に対して、好ましくは少なくとも８０質量％、より好ましくは９０質量％の、それぞれ、式（１）、（１ａ）の構成単位を含むポリマーであり得る。
【００６０】
最も好ましくは、本発明の半導電性材料は、それぞれ、式（１）、（１ａ）の構成単位から実質的になるポリマーである。
【００６１】
式（１）の構成単位を含むポリマーは、式：
【化６２】
0005777802.tif 000063
［式中、Ｒ1、Ｒ2、Ｇ1、Ｇ2、ｑ、およびｓは、上記において定義される通りであり、ならびにＨａｌ1は、ハロゲン、好ましくは−Ｂｒである］の化合物を、遷移金属触媒１の存在下において、式：
【化６３】
0005777802.tif 000064
［Ｌおよびｑは、上記において定義される通りであり、Ｒ100、Ｒ101、およびＲ102は、互いに独立して、Ｃ1〜10−アルキル、好ましくはメチルである］の化合物で処理することによって製造することができる。
【００６２】
遷移金属触媒１は、好ましくはホスフィン、例えば、トリ−ｏ−トリルホスフィン、との組み合わせにおける、好ましくはパラジウム触媒、例えば、トリス（ジベンジリデンアセトン）ジパラジウム（０）、である。当該反応は、好ましくは、高温、例えば、８０〜２００℃、好ましくは９０〜１５０℃、において実施される。当該反応は、不活性有機溶媒、例えばクロロベンゼン中、において実施することができる。当該反応は、末端キャッパー、例えば、２−ブロモチオフェンおよび２−チオフェンボロン酸、を加えることによって停止させることができる。粗生成物は、慣用法によって、例えば、当該粗生成物を適切な溶媒、例えばアセトンで抽出することによって、後処理され得る。
【００６３】
式（２）の化合物は、式：
【化６４】
0005777802.tif 000065
［式中、Ｒ1、Ｒ2、Ｇ1、Ｇ2、ｑ、およびｓは、上記において定義される通りである］の化合物を、ハロゲン化剤で処理することによって製造することができる。
【００６４】
当該ハロゲン化剤は、好ましくはＮ−ブロモスクシンイミドである。当該反応は、好ましくは、周囲温度、例えば、−５〜５０℃、好ましくは０〜３０℃、において実施することができる。当該反応は、有機溶媒、例えば、クロロホルム中、において実施することができる。粗生成物は、慣用法、例えば、カラムクロマトグラフィによって、後処理され得る。
【００６５】
式（４）の化合物は、式：
【化６５】
0005777802.tif 000066
［式中、Ｒ1およびＲ2は、上記において定義される通りである］の化合物を、遷移金属触媒２の存在下において、式：
【化６６】
0005777802.tif 000067
［式中、Ｇ1、Ｇ2、ｑ、およびｓは、上記において定義される通りであり、ならびにＲ200、Ｒ201、およびＲ202は、互いに独立して、Ｃ1〜10−アルキル、好ましくはメチルである］の化合物と反応させることによって製造することができる。
【００６６】
遷移金属触媒２は、好ましくはパラジウム触媒、例えばテトラキス（トリフェニルホスフィン）パラジウム（０）である。当該反応は、好ましくは、高温、例えば、８０〜２００℃、好ましくは９０〜１５０℃において実施される。当該反応は、不活性有機溶媒、例えばジメチルホルムアミド中において実施することができる。粗生成物は、慣用法、例えば、カラムクロマトグラフィによって、後処理され得る。
【００６７】
式（５）の化合物は式：
【化６７】
0005777802.tif 000068
［式中、Ｒ1およびＲ2は、上記において定義される通りである］の化合物を、ハロゲン化剤で処理することによって製造することができる。
【００６８】
当該ハロゲン化剤は、好ましくはＢｒ2である。当該反応は、好ましくは、周囲温度、例えば、−５〜３０℃、好ましくは０〜３０℃、において実施することができる。当該反応は、有機溶媒、例えば、ジクロロメタン中、において実施することができる。粗生成物は、慣用法によって後処理され得る。
【００６９】
式（８）の化合物は、下記の反応スキーム：
【化６８】
0005777802.tif 000069
に従って製造することができる。
【００７０】
式（２）、（４）、および（５）の化合物も、本発明の一部である。
【００７１】
さらに、半導電性材料として、式（１）の構成単位を含むポリマーを含む電子デバイスも、本発明の一部である。好ましくは、当該電子デバイスは、有機電界効果トランジスタ（ＯＦＥＴ）、および特に薄膜トランジスタ（ＴＦＴ）である。好ましくは、当該電子デバイスは、有機光起電装置（ＯＰＶ）である。
【００７２】
通常、有機電界効果トランジスタは、誘電体層、半導電層、および基材を含む。さらに、有機電界効果トランジスタは、通常、ゲート電極およびソース／ドレイン電極を含む。
【００７３】
有機電界効果トランジスタは、様々な設計を有することができる。
【００７４】
電界効果トランジスタの最も一般的な設計は、ボトムゲート・トップコンタクト（ＢＧＴＣ）設計である。この場合、ゲートは、基材の上かつ誘電体層の下にあり、半導電層は、誘電体層の上にあり、ソース／ドレイン電極は、半導電層の上にある。
【００７５】
電界効果トランジスタの別の設計は、トップゲート・ボトムコンタクト（ＴＧＢＣ）設計である。この場合、ソース／ドレイン電極は、基材の上かつ半導電層の下にあり、誘電体層は、半導電層の上にあり、ゲート電極は、誘電体層の上にある。
【００７６】
半導電層は、本発明の半導電性材料を含む。当該半導電層は、５〜５００ｎｍ、好ましくは１０〜１００ｎｍ、より好ましくは２０〜５０ｎｍの厚さを有し得る。
【００７７】
誘電体層は、誘電材料を含む。当該誘電材料は、シリコン／二酸化シリコン、あるいは、好ましくは有機ポリマー、例えば、ポリスチレン（ＰＳ）、ポリ（メチルメタクリレート）（ＰＭＭＡ）、ポリ（４−ビニルフェノール）（ＰＶＰ）、ポリ（ビニルアルコール）（ＰＶＡ）、ベンゾシクロブテン（ＢＣＢ）、またはポリイミド（ＰＩ）、であり得る。当該誘電体層は、１０〜２０００ｎｍ、好ましくは５０〜１０００ｎｍ、より好ましくは１００〜８００ｎｍの厚さを有し得る。
【００７８】
ソース／ドレイン接触およびゲート接触は、任意の好適な材料、例えばＡｕ、で作成することができる。
【００７９】
基材は、任意の好適な基材、例えば、ガラスまたはプラスチック基材、であり得る。好ましくは、基材は、プラスチック基材、例えば、ポリエーテルスルホン、ポリカーボネート、ポリスルホン、ポリエチレンテレフタレート（ＰＥＴ）、およびポリエチレンナフタレート（ＰＥＮ）、である。より好ましくは、プラスチック基材はプラスチックホイルである。
【００８０】
有機電界効果トランジスタは、当該技術分野において公知の方法によって製造することができる。
【００８１】
例えば、トップゲート・ボトムコンタクト（ＴＧＢＣ）薄膜トランジスタ（ＴＦＴ）は、以下のように製造することができる：第一段階：ソース／ドレイン接触を、例えばソース／ドレイン材料の熱蒸発によって、基材上に配置する；第二段階：例えば、好適な溶媒中における半導電性材料の溶液をスピンコーティングし、当該半導電層を高温、例えば８０〜１００℃、において乾燥させることによって、当該基材を半導電性層でコーティングする；第三段階：例えば、誘電材料の溶液をスピンコーティングし、当該誘電体層を高温、例えば８０〜１００℃で乾燥させることにより、当該半導電性層を、適切な溶媒中における誘電材料の溶液でコーティングする；第四段階：ゲート接触を、例えばゲート材料の熱蒸発などによって、誘電体層の上部に配置する。
【００８２】
さらに、半導電性材料としての、式（１）の構成単位を含むポリマーの使用も、本発明の一部である。
【００８３】
本発明の半導電性材料を含む電子デバイスは、高い電荷キャリア移動度および、周囲環境条件下における、特に空気による酸化に対する、高い安定性を示す。
【００８４】
さらに、本発明の半導電性材料は、液体加工技術、例えばスピンコーティング、に適合可能であり、したがって、低コストで軽量かつ柔軟な電子デバイスの製造が可能である。
【００８５】
実施例
実施例１
式（１ｂ）の構成単位から実質的になるポリマーＰ１の調製
式（１ｂ）の構成単位から実質的になるポリマーＰ１を、以下の反応スキームに従って調製する。
【化６９】
0005777802.tif 000070
【００８６】
式（１１ａ）の化合物の調製
ヨウ化メチル（１０．９ｇ、７６．８ｍｍｏｌ）を、ＭｅＯＨ（３０ｍＬ）中における１，５−ナフチリジン（１２）（５ｇ、３８．４ｍｍｏｌ）の溶液に加え、当該反応混合物を、Ｎ2下において４０℃で３日間加熱する。沈殿物をろ別し、高真空下で乾燥させて、黄緑色の固体として化合物１１ａ（８．５１ｇ、８１．１％）を得る。
0005777802.tif 000071
【００８７】
式（１０ａ）の化合物の調製
ＮａＯＨ溶液（３０ｍＬのＨ2Ｏ中における５．６ｇ、１４０．２ｍｍｏｌ）およびＫ3Ｆｅ（ＣＮ）6溶液（３０ｍＬのＨ2Ｏ中における２１．６ｇ、６５．５ｍｍｏｌ）を同時に、−１０℃において、３０分かけて、Ｈ2Ｏ（８０ｍＬ）中におけるナフチリジンメチオジド（１１ａ）（８．５ｇ、３１．２ｍｍｏｌ）の溶液に加える。当該反応混合物を、一晩、室温に温める。過剰なＮａＣｌを加え、次いで、当該反応混合物をＣＨＣｌ3で抽出する（１５０ｍＬで３回）。収集した有機相をＮａ2ＳＯ4で乾燥させ、ろ過して、真空下で濃縮する。粗生成物を、ＭｅＯＨ＋１％ＴＥＡを使用するシリカゲルのフラッシュカラムにより精製して、紫色の固体として化合物１０ａを得る（３．０７ｇ、６１．４％）。
0005777802.tif 000072
【００８８】
式（９ａ）の化合物の調製
Ｍｅｌ（３．５８ｍＬ、５７．５ｍｍｏｌ）を、トルエン（５０ｍＬ）中における化合物１０ａ（３．０７ｇ、１９．２ｍｍｏｌ）の溶液に加え、当該反応混合物を１１５℃で２日間撹拌した。当該反応混合物をろ過し、真空下で乾燥させて、緑色の固体として化合物９ａを得る（４．７５ｇ、８１．８％）。
0005777802.tif 000073
【００８９】
式（８ａ）の化合物の調製
ＮａＯＨ溶液（１５ｍＬのＨ2Ｏ中における４．３９ｇ、１０９．７ｍｍｏｌ）およびＫ3Ｆｅ（ＣＮ）6溶液（５０ｍＬの水中における１５．５１ｇ、４７．１ｍｍｏｌ）を同時に、０℃において、３０分かけて、Ｈ2Ｏ（２５ｍＬ）中におけるメチルナフチリジンメチオジド９ａ（４．７５ｇ、１５．７ｍｍｏｌ）に加える。当該反応混合物を０℃で３０分間撹拌し、次いで、一晩、室温に温める。過剰なＮａＣｌを加え、続いてＣＨＣｌ3で抽出する（１００ｍＬで３回）。収集した有機相をＮａ2ＳＯ4で乾燥させ、真空下で濃縮する。ＭｅＯＨ／アセトン混合物での再結晶化により、橙茶色の結晶として化合物８ａを得る（１．５２ｇ、５１．１％）。
0005777802.tif 000074
【００９０】
式（５ａ）の化合物の調製
１，５−ジメチルナフチリジン−ジオン８ａ（１．３５ｇ、７．０８ｍｍｏｌ）、ＮａＨＣＯ3（２．３８ｇ、２８．３ｍｍｏｌ）、および臭素（２．８３ｇ、１７．１ｍｍｏｌ）を、０℃でジクロロメタン／Ｈ2Ｏ混合物（１：１、２００ｍＬ）に溶解させ、一晩、室温に温める。当該反応混合物をろ過し、ＭｅＯＨで洗浄する。飽和チオ硫酸ナトリウム（水溶液）を当該ろ液に加え、水相をジクロロメタンで抽出する（２００ｍＬで３回）。収集した有機相をＮａ2ＳＯ4で乾燥させ、真空下で濃縮する。収集した固体をメタノールに分散させ、超音波処理を３サイクル行った後、遠心分離とデカンテ−ションを行って、黄色の化合物５ａを得る（２．１８ｇ、８８．５％）。
0005777802.tif 000075
【００９１】
式（４ａ）の化合物の調製
Ｐｄ（ＰＰｈ3）4（０．１１ｇ、０．１０ｍｍｏｌ）を、脱ガス処理したジメチルホルムアミド（２３ｍＬ）中における化合物５ａ（０．６８ｇ、１．９７ｍｍｏｌ）および化合物６ａ（２．４５ｇ、５．９０ｍｍｏｌ）の溶液に加える。当該反応混合物を１３０℃に加熱して、一晩、撹拌する。当該反応混合物を室温まで冷却させ、Ｈ2Ｏ（２５ｍＬ）で洗浄し、ＣＨ2Ｃｌ2で抽出し（２５ｍＬで３回）、Ｎａ2ＳＯ4で乾燥させ、濃縮する。残留物をフラッシュカラム（０→１００％酢酸エチル／ヘキサン）で精製して、赤色の固体として化合物４ａを得る（０．４２ｇ、３１％）。
0005777802.tif 000076
【００９２】
式（２ａ）の化合物の調製
Ｎ−ブロモスクシンイミド（０．１７ｇ、０．９７ｍｍｏｌ）を、０℃で、ＣＨＣｌ3（３２ｍＬ）中における化合物４ａ（０．３２ｇ、０．４６ｍｍｏｌ）の溶液に加える。当該反応混合物の温度をゆっくりと室温まで上げ、一晩、撹拌する。当該反応混合物をＨ2Ｏ（５０ｍＬ）でクウェンチし、ＣＨＣｌ3で抽出し（５０ｍＬで３回）、塩水で洗浄し、Ｎａ2ＳＯ4で乾燥させ、濃縮する。粗生成物２ａをフラッシュカラム（０→５０％酢酸エチル／ヘキサン）で精製して、赤色の固体として化合物２ａを得る（０．４６ｇ、８８％）。
0005777802.tif 000077
【００９３】
式（１ｂ）の構成単位から実質的になるポリマーＰ１の調製
化合物２ａ（１００ｍｇ、０．１２ｍｍｏｌ）、化合物３ａ（１１２ｍｇ、０．１２ｍｍｏｌ）、Ｐｄ2ｄｂａ3（５．４ｍｇ、０．００６ｍｍｏｌ）、およびＰ（ｏ−トリル）3（３．６ｍｇ、０．０１ｍｍｏｌ）を、シュレンク管に入れ、窒素で３回脱ガス処理する。次いで、クロロベンゼン（３ｍＬ）を加え、当該反応混合物をＮ2下１３０℃で加熱する。２日後、１滴の２−ブロモチオフェンを加え、当該反応混合物を１時間撹拌する。１滴の２−（トリブチルスタンニル）チオフェンを加え、当該反応混合物を１３０℃で一晩撹拌する。当該反応混合物を、ゆっくりと５００ｍＬのＭｅＯＨに注ぎ入れる。当該混合物を２時間撹拌する。得られた沈殿物をろ過し、アセトンでＳｏｘｈｌｅｔ抽出に一晩かける。ろ液を真空下で乾燥させ、最小量の熱クロロベンゼンに溶解させ、メタノールの入ったビーカーに注ぎ入れて再び沈殿させる。当該混合物を１時間撹拌し、ろ過し、当該ろ液を真空下で一晩乾燥させて、赤色の固体としてポリマーＰ１を得る（３６ｍｇ、２３％）。
0005777802.tif 000078
【００９４】
実施例２
半導電性材料として、式１ｂの構成単位から実質的になるポリマーＰ１を含む、トップゲート・ボトムコンタクト型トランジスタ（ＴＧＢＣ）の製造
トップゲート・ボトムコンタクト型（ＴＧＢＣ）薄膜トランジスタ（ＴＦＴ）を、ガラス（ＰＧＯを入手したまま使用する）に製作する。Ａｕソース−ドレイン接触（３０ｎｍ厚）を熱蒸発させる。次いで、ジクロロメタン中におけるポリマーＰ１（実施例１において説明したように調製した）の溶液（濃度：約１０ｍｇ／ｍＬ）でスピンコーティング（１０００ｒｐｍ）し、当該膜を９０℃で３０秒乾燥させることにより、当該基材を半導体層でコーティングする（厚さ：４０〜５０ｎｍ）。酢酸イソプロピル中におけるポリスチレンの４質量％溶液を、スピンコーティングし（３６００ｒｐｍ）、当該形成された誘電膜を９０℃で３０秒間乾燥させて、誘電体層（厚さ：５００〜６００ｎｍ）を得る。シャドウマスクを通して蒸着によりＡｕゲート接触（約３０ｎｍ厚）をパターン形成することにより、デバイス構造を完成させる。チャンネル長および幅は、それぞれ５０μｍおよび０．５ｍｍであり、Ｗ／Ｌ＝１０である。
【００９５】
実施例２のトップゲート・ボトムコンタクト型（ＴＧＢＣ）薄膜トランジスタは、以下の移動度：４×１０-3ｃｍ2Ｖ-1ｓ-1を示す。